(57)【要約】      （修正有）【課題】横桟付きで幅広の菊栽培用ネットを巻き取り回収作業機で巻き取るについて、ネットが一定以上の巻き取り張力で堅く巻き取られ、その幅方向に均等な張力がかかり、横桟がほぼ平行状態で巻き込まれる駆動機構の提供。【解決手段】一定間隔で横桟１０ａを設けた幅広の菊栽培用のネット１０ｎの巻き取り回収作業機であって、作業機フレームは、２等辺三角形状の水平フレームと当該水平フレームの後部に固定された縦フレーム２とを有し、上記水平フレームの先端に前輪があり、左右後端に後輪があり、上記水平フレームの前方部に側面視において斜め上方に延び、また平面視において前方から後方に向かってハの字状に広がった左右一対のガイド棒があり、上記縦フレームの上方右端部に駆動軸又は受け軸があり、上方左端部に受け軸又は駆動軸があり、さらに、後方に延びた走行操作用ハンドルがある。【選択図】  図１
2008148585.tif 000002
【特許請求の範囲】
【請求項１】
一定間隔で横桟を設けた幅広の菊栽培用ネットの巻き取り回収作業機であって、
上記作業機フレームは、二等辺三角形状の水平フレームと当該水平フレームの後部に固定された縦フレームとを有し、上記水平フレームの先端に前輪があり、左右後端に後輪が有り、
上記水平フレームの前方部に側面視において斜め上方に延び、また平面視において前方から後方に向かってハの字状に広がった左右一対のガイド棒があり、
上記縦フレームの上方右端部に駆動軸又は受け軸があり、上方左端部に受け軸又は駆動軸があり、さらに、後方に延びた走行操作用ハンドルがあり、
上記駆動軸及び受け軸に巻き取り軸の左右両端をそれぞれ着脱自在に連結するようになっており、
上記縦フレームに走行操作ハンドルが設けられている菊栽培用ネットの巻き取り回収作業機。
【請求項２】
上記縦フレームに走行操作ハンドルが設けられている請求項１の菊栽培用ネットの巻き取り回収作業機。
【発明の詳細な説明】
【技術分野】
【０００１】
この発明は、菊栽培用ネット、すなわち、切り花用の菊が倒れないようにこれを支えるネットの巻き取り回収作業機に関するものであり、畝に多条で栽培された菊を支えている幅広ネットを巻き取って回収するについて、これをスムーズにかつ堅く巻き取ることができ、これを解反して再使用するとき、ロール状に巻き取られたネットを容易にかつ弛み無しにきちんと解反させることができるものである。
【背景技術】
【０００２】
菊などの農作物の植え付け時に、畝上にネットをきちんと張って布設してあり、農作物の生長に合わせてその高さを徐々にずり上げてその茎をネットで支えさせる農業技術が公知である（例えば、特開２０００−２０１５４６号公報）。
上記公知例におけるネット７０は一条に植えられた菊や葱などの農作物ｎを支えるものであり、そのネット７０は一定間隔（例えば２ｍ間隔）で配置された支柱ｐによってその支持高さを調整自在に支えられている（図７）。上記ネット７０は左右の紐状部７１の間を連結紐７２で連結した細長い網であり、左右の紐状部７１，７１の間に中央空間ｓがあり、この中央空間ｓの中に農作物ｎが支えられており、農作物ｎの植え付け時において地面に張られ、菊の生長に合わせて段々に引き上げられ、調節された高さｈで支柱ｐに支えられる。
そして、菊花の収穫が終わると上記ネット７０がロール状に巻き取られて回収される。
ネットの巻き取り回収作業においては、まず、支柱ｐが地面から抜き取られてネット７０から外される。その状態ではネット７０は農作物ｎの残茎や雑草の中に埋没しており、残茎や雑草が編み目に嵌って絡んでいる。
【０００３】
ところで切り花用菊の栽培においては、栽培の集約化を図るために多条栽培されている。そして、多条栽培においては、ネットの布設、高さ調節、巻き取り回収などの作業能率を高められるようにするために、ネット幅を広くして、これで多条の農作物を一つのネットで一括して支持させるようにしている。
ところで、多条栽培（例えば６条植え）に対するネットはその幅が広いので、横桟を一定間隔でネットに取り付けてこれによって横方向の張りをもたせる必要がある。
【０００４】
一定間隔（例えば２５０ｃｍ間隔）で横桟が固定された幅広のネットを人手で解反することは容易でないし、まして、菊の残茎や雑草の埋もれている上記幅広ネットをロール状に巻き取って回収する作業は極めて困難であり（因みに、幅７８ｃｍのネットが、例えば全長１８０ｍ巻き取られると、そのロール状に巻き取られたネットの重量は３０ｋｇ程度になる）、一人でこの巻き取り回収作業をするのは不可能である。したがって、この幅広の菊栽培用ネットを巻き取って回収するには、動力式の巻き取り作業機による外はない。
そしてまた、幅広のネットを巻き取って回収するについては、ネットを堅くかつコンパクトに巻き取られなければならない。なぜなら、ロール状になったネットの巻きが緩くて嵩張ると、運搬、再解反などでの取扱が困難になり、再使用するための解反作業をスムーズにかつ能率的に行うことができないからである。
【０００５】
また、巻き取り回収作業機によって幅広のネットが堅くコンパクトに巻き取られるようにするには、横桟がほぼ平行になった状態で重ね合わされた状態でネットが巻き取られ、かつほぼ一定の巻き取り張力が幅方向においてほぼ均等にかかった状態で巻き取られるようにすることが必要である。もし横桟が斜めになって交叉した状態で巻き込まれると、堅く巻いてもすぐに形崩れし、巻き取り張力が不均等になり、巻形状が不安定になる。
【特許文献１】特開２０００−２０１５４６号公報
【発明の開示】
【発明が解決しようとする課題】
【０００６】
この発明の課題は、横桟付きで幅広の菊栽培用ネットを巻き取り回収作業機で巻き取るについて、ネットが一定以上の巻き取り張力で堅く巻き取られ、その幅方向に均等な張力がかかり、横桟がほぼ平行に重ね合わされた状態で巻き込まれるように、その巻き取り駆動機構を工夫することである。
【課題を解決するための手段】
【０００７】
上記課題を解決するための手段は、一定間隔で横桟を設けた幅広の菊栽培用ネットの巻き取り回収作業機について、次の（イ）（ロ）によって構成されるものである。
（イ）作業機フレームは、二等辺三角形状の水平フレームと当該水平フレームの後部に固定された縦フレームとを有し、上記水平フレームの先端に前輪があり、左右後端に後輪があり、
（ロ）上記水平フレームの前方部に側面視において斜め上方に延び、また平面視において前方から後方に向かってハの字状に広がった左右一対のガイド棒があり、
（ハ）上記縦フレームの上方右端部に駆動軸又は受け軸があり、上方左端部に受け軸又は駆動軸があり、さらに、後方に延びた走行操作用ハンドルがあり、
（ニ）上記駆動軸及び受け軸に巻き取り軸の左右両端をそれぞれ着脱自在に連結されるようになっていること。
【０００８】
〔作用〕
上記駆動軸及び受け軸に上記巻き取り軸を装着した状態で、エンジンで駆動軸を駆動して、上記菊栽培用ネットの横桟を上記巻き取り軸に平行に重ね合わせた状態で巻き込みながらネットを巻き取る。菊栽培用ネットが上記巻き取り軸に巻き取られると、作業機にかかる走行抵抗に相当する巻き取り張力がネットにかかるので、巻き取り回収作業機はネットの巻き取り張力で引っ張られて前進する。このとき、当該回収作業機は 菊の残茎や雑草などの草むらの中を前進することになるが、その水平フレームの先端で菊の残茎などを左右にかき分け、左右の斜めの辺で外側に押し倒しながら前進するので、巻き取り回収作業機はネットの引っ張り力によってスムーズに走行することができる。なぜなら、ネット巻き取り回収作業機は、押し倒された残茎などの上を後輪が走行するので、走行抵抗が比較的小さく、走行抵抗の変動も小さいからである。
また、ネットにかかる張力は作業機に対する走行抵抗に等しく、巻き取り径の変動に関わりなくほぼ一定であるから、ネットは巻きはじめから巻き終わりまでほぼ一定の張力で堅く巻き取られる。
【０００９】
また、ネットは巻き取り軸によって斜め上方に引っ張られながら、また水平フレームの先端上に設けられたガイド棒によって横桟とともに押し上げられ、他方、菊の残茎や雑草は水平フレームで左右外方に押し倒されるので、ネットは水平フレーム上で残茎等から完全に分離され、空中に浮いた状態になり、したがって、その全幅で均等な張力を受けながら巻き取られる。
【００１０】
左右の後輪の転がり抵抗が不均等になって回収作業機が左右に振られ、そうするとネット張力が幅方向において著しく不均等になる。これに対しては、縦フレームに設けた走行操作ハンドルを操作して走行方向を矯正することができるので、これによってネットの幅方向における張力が大幅に不均等になることはない。
以上のようにすることで、横桟は巻き取り軸と平行に重なり合った状態でネットに巻き込まれ、ネットは最初から最後まで、横桟を巻き取り軸と平行にしながら堅く巻き取られ、その後においてロール巻が形崩れして巻きが緩むことはない。
【００１１】
予定の長さ分だけ巻き取りが完了したときは、巻き取り軸を上記駆動軸及び受け軸から取り外して、ロール状に巻き取られたネット（以下これを「ロール状ネット」という）を巻き取り軸と共に簡単容易に、巻き取り回収作業機から取り外すことができる。
その後、別の巻き取り軸を装着することによってネット巻き取り作業が再開される。
【００１２】
ネットの巻き取り径が大きくなると、回転速度が一定であれば巻き取り速度が速くなり、そのために走行抵抗が増大するが、このようなことがないようにするには、エンジンの回転速度を徐々に下げて巻き取り速度がほぼ一定になるようにコントロールすればよい。
なお、上記の「菊栽培用ネット」は、菊以外の農作物の栽培にも用いられるものであり、文字通り菊栽培専用に限られるものではない。
【発明の効果】
【００１３】
エンジンで巻き取り軸を駆動しつつ、上記縦フレームの走行操作ハンドルを操作しながら、巻き取り回収作業機を畝に沿ってゆっくりと操行させることによって、横桟を一定間隔で設けた幅広の菊栽培用ネットを、横桟を巻き取り軸と平行にして堅く巻き取ることができるので、上記菊栽培用ネットの巻き取り回収作業を、簡単容易に、能率的に行うことができる。
そして、上記のようにして巻き取られたネットは横桟を平行にして堅く巻き取られているので、その後の運搬などの取り扱いによって型くずれすることはなく、再解反されるまで巻き取り当初の形態が保持される。したがって、一定の張力を与えながらこれを新たな畝の上で転がすと、ネットが整然と解反される。したがって、再使用のためのネットの再解反作業を簡単容易に、かつ能率的に行うことができる。
〔実施の態様〕
【００１４】
上記縦フレームに走行操作ハンドルが設けられていてこれで走行操作を行うことで、菊の残茎草や雑草の中で巻き取り回収作業機の走行操作、方向転換を自在にかつ軽快に行うことができる。
すなわち、上記走行操作ハンドルを押し下げることができ、後輪を支点にして全体を上方に傾けて前輪を大きく浮き上がらせることでき、また、後輪の一方を支点として前輪と他方の後輪を浮き上がらせて、同ハンドルを左右に振ることで、そのままの姿勢で回収作業機全体を容易に左右方向に転向させることができる。これによって方向転換に対する草むらの抵抗は可及的に小さくなる。したがって、作業性がきわめてよい。
【００１５】
また、水平フレームが左右対称であるのは、菊が栽培された畝の中央を前輪を走行させるとき、その左右の辺で残茎や雑草をかき分け、かつ左右に押し倒しながら比較的軽く走行させるためであるから、水平フレームの前方部分の左右両辺が対称な傾斜辺であればよく、したがって、水平フレーム全体が二等辺三角形である必要は必ずしもない。
【００１６】
さらに、自動クラッチを介して巻き取り軸を駆動するようにして、スロットルレバーでエンジンの回転速度を制御することによって巻き取り軸の駆動、停止を操作できるようにするのがよいが、エンジンによって手動クラッチ（例えばベルトテンションクラッチ）を介して巻き取り軸を駆動し、この手動クラッチの入り、切り操作によって巻き取り軸の始動停止を操作することもできる。
自動遠心クラッチによる場合は、巻き取り軸の回転速度の調整と、巻き取りの始動、停止の両操作をエンジンのスロットルレバーだけで行うことができるので使い勝手がよい。
また、上記受け軸を縦フレームに左右方向に移動自在に支持させることにより、巻き取り軸の一端の受け軸への着脱を簡単容易にすることができる。
【発明を実施するための最良の形態】
【００１７】
次いで、この発明の実施例を図面を参照しながら説明する。
この実施例における菊栽培用のネット１０ｎは５条植え用のものであり、幅が７５ｃｍで、長さが８５ｃｍの角材による横桟１０ａが２５０ｃｍ間隔で固定されており、これによってネットが幅方向に張られている。
菊栽培畝の左右に７５ｃｍの間隔、畝の長手方向に２５０ｃｍの間隔で支柱が立てられており、これに簡便な手段で横桟１０ａの両端が係止されている。ネット１０ｎは菊が生長するにつれてずり上げられて、その高さが適切に調整される。
この巻き取り回収作業機のフレームは軽量化のために金属パイプ材で構成されており、二等辺三角形状の水平フレーム１の後端に、コ形の縦フレーム２がリジッドに固定されている。
【００１８】
水平フレーム１は左右の傾斜辺１ａ，１ｂを備えており、この傾斜辺の後端に縦フレーム２の横枠２ｄが固着されている。そして、この水平フレーム１の前端にＵ形部１ｃがあり、このＵ形部１ｃにブラケット１ｄがあり、このブラケット１ｄに前輪ｗ１の車軸が固定されている。また、左水平フレーム１の先端上面に左右一対の円弧状のガイド棒６ａ，６ｂの下端が固定されていて、このガイド棒６ａ，６ｂは、上方に凸の円弧状であり、斜め上方に向けられている。
この実施例の水平フレーム１は単純な二等辺三角形（但し、この実施例ではその底辺は縦フレーム２の横枠２ｄ）であり、その後端の左右幅は１０５ｃｍである。そして、水平フレームの後端に固着された縦フレーム２の左右の縦枠２ａ，２ｂの下端にブラケット２ｃがあり、このブラケット２ｃに左右の後輪ｗ２の車軸がそれぞれ固定されている。因みに、これら前輪ｗ１、後輪ｗ２の外径は３６ｃｍである。
【００１９】
縦フレーム２は全体形状がコ形であり、その高さは地上１０４ｃｍで、幅は１０５ｃｍである。
縦フレーム２の左方の縦枠２ａの軸受けに駆動軸４０が回転自在に支持されており、右方の縦枠の軸受けに受け軸４１がその軸方向（縦フレーム２の左右方向）にスライド自在に支持されている。この受け軸４１はコイルバネ８によって縦フレーム２の左方に付勢されており、これに操作レバー１１が連結されている。
【００２０】
上記駆動軸４０と受け軸４１はともに外径１５ｍｍの軸で、これにパイプ材（内径１６〜２０ｍｍ）による巻き取り軸７の両端をそれぞれ嵌めて支持させるようになっている。駆動軸４０と巻き取り軸７とは回転方向に係合離脱自在に連結されるものであり、駆動軸４０に半径方向外方に突出した係合ピン４０ａがあり、巻き取り軸７の一端部に切り欠き７ａがあって、巻き取り軸の左端を駆動軸に嵌めたとき、上記係合ピン４０ａが上記切り欠き７ａに係合して回転力が伝達されるようになっている。
上記操作レバー１１を操作して受け軸４１を外側（図３−１において右方）に移動させて、その内端（左端）を巻き取り軸の右端から外し、その後、巻き取り軸７を右方に移動させてその左端を駆動軸４０から外すことで、巻き取り軸７は縦フレーム２から容易に外れる。
縦フレーム２の下端の横枠２ｄに走行操作ハンドル３，３の先端が固定されており、これらの走行操作ハンドル３，３の後端にグリップ３ｇがある。これらのグリップ３ｇを把持してネット巻き取り回収作業機の走行操作を行う。
【００２１】
左側（作業機前方に向かってその左側）の縦枠２ｂに小型エンジン（最大出力１．３馬力、重量７．８ｋｇ）Ｅが固定されている。このエンジンは遠心クラッチ内蔵のエンジンで、左側ハンドルのグリップ３ｇにスロットルレバー３ｓがあって、これを操作するとエンジンＥの駆動プーリーによって被駆動プーリー４５、駆動軸７が駆動されるようになり、これらの回転速度が加減される。
この実施例では、エンジンＥの駆動プーリーと上記駆動軸４０の被駆動プーリー４５との間にベルトｖが巻掛けられており、このベルトｖはテンションプーリーで緊張されていて、その緩みが防止されている。
なお、エンジンに遠心クラッチが内蔵されていないときは、このテンションプーリーを操作レバー（図示略）で操作できるようにして、これを操作することによって上記被駆動プーリーの駆動、停止を切り換えるようにすればよい。
駆動軸４０を回転させ、巻き取り軸７を回転させた状態で、ネットの先端の横桟１０ａを巻き取り軸７に平衡状態で重ねると、ネット１０ｎの巻き取りが開始される。ネット１０ｎが巻き取られると当該ネットは後方に引っ張られて、その張力で巻き取り回収作業機が引っ張られて前進する。
【００２２】
巻き取り回収作業機が前進すると、水平フレーム１の先端が菊の残茎や雑草などをかき分けながら草むらの中を前進する。このとき、ネット１０ｎは縦フレームの上方位置にある巻き取り軸７に向かって斜め上方に引っ張られ、上記水平フレーム１の先端に設けた左右のガイド棒６ａ，６ｂでネット１０ｎ及び横桟１０ａが押し上げられ、菊の残茎や雑草の上部がガイド棒６ａ，６ｂで左右にかき分けられ、左右に押しやられる。他方、水平フレーム１は前進しながらその先端で菊茎や雑草をかき分け、水平フレームの左右の傾斜辺１ａ，１ｂでこれらを左右に押し倒してゆく。このようにして菊茎や雑草がネット１０ｎの網み目から容易に下方に引き抜かれるので、ネット１０ｎに対する引っかかりが容易に外される。
【００２３】
したがって、ネット１０ｎがガイド棒６ａ、６ｂを通過して後は、ネットは完全に空中に浮いた状態であり、後方へ引っ張られる力だけを受けるようになり、この状態で巻き取り軸に巻き取られてゆく。そして、幅方向においてほぼ均等な張力を受けた状態で、前進方向への走行操作を行いつつ巻き取られるから、菊栽培用のネット１０ｎは、横桟１０ａを巻き取り軸と平行に重ね合わせながら、スムーズにかつ堅く巻き取られる。
【００２４】
また、上記水平フレーム１及び縦フレーム２がパイプ材で構成されていて当該作業機は全体が軽量であり、また、縦フレームから後方に走行操作ハンドルが延びている構成であるから、菊の残茎や雑草の中でも作業機を簡単容易に取り回して方向転換を行うことができるので、作業性が極めてよい。
【００２５】
〔菊栽培用ネットの解反作業機の例〕
この発明の巻き取り回収作業機で回収されたロール状ネットを畝上に解反する作業機、すなわちネット解反作業機の一例を、図５、図６を参照しながら説明する。    
このネット解反作業機は、コ形のフレーム５１の左右の縦枠５１ａ，５１ａの下端に左右の車輪が設けられており、車輪の少し上方にコ形の水平フレーム５２が固着され、さらに、ほぼ同位置に支持軸５３，５３がそれぞれ設けられているものである。
【００２６】
左右の支持軸５３，５３は巻き取り軸の両端を着脱自在にかつ回転自在に支持するものであり、その支持高さは畝の高さよりも低い。
このネット解反作業機の左右の支持軸５３，５３に巻き取り軸５４を装着した状態で横枠５１ｂを把持し、これを引っ張って移動させる。左右の車輪ｗ，ｗで畝を跨ぐと、装着されたロール状ネット１０がその畝に乗り上げ、これによって車輪ｗ，ｗが地面から浮き上がる。この状態でネット先端の横桟１０ａを畝の先端に立てられた支柱に係止させてからネット解反作業機を畝に沿って前進させると、ロール状ネットが畝の上を転動しながら前進し、ネットが繰り出されて畝上に解反される。このとき、ネットは水平フレーム５２の外側（横枠５２ａの外側）をとおり、同横枠５２ａから斜め下方に流れて接地されるから、この間に横桟の姿勢を容易に調整することができる。
【００２７】
ネットは、その横桟１０ａが互いに平行に重なり合った状態で、また、ほぼ一定の張力で堅く巻き取られているので、ネット解反作業機を畝に沿って移動させることにより、横桟１０ａがきちんと横に向けられて整然と張設される。
【図面の簡単な説明】
【００２８】
【図１】は、実施例のネット巻き取り回収作業機の作業状態を示す図である。
【図２】は、実施例のネット巻き取り回収作業機の斜視図である。
【図３】は、図２の駆動軸と巻き取り軸との係合部の拡大図である。
【図３−１】は、図２の支持軸周りの拡大図である。
【図４】は、図２の駆動軸周りの拡大図である。
【図５】は、ネット解反作業機の斜視図である。
【図６】は、図５のネット解反作業機にロール状ネットを装着した状態を示す図である。
【図７】は、従来技術の説明図である。
【符号の説明】
【００２９】
１：水平フレーム
１ａ，１ｂ：傾斜辺
１ｃ：Ｕ形部
１ｄ：ブラケット
２：縦フレーム
２ａ，２ｂ：縦枠
２ｃ：ブラケット
３：走行操作ハンドル
３ｇ：グリップ
６ａ，６ｂ：ガイド棒
７：巻き取り軸
７ａ：切り欠き
８：コイルバネ
１０：ロール状ネット
１０ａ：菊栽培用ネットの横桟
１０ｎ：ネット
１１：操作レバー
４０：駆動軸
４０ａ：係合ピン
４１：受け軸
４５：被駆動プーリー
５１：フレーム
５１ａ：縦枠
５１ｂ：横枠
５２：水平フレーム
５３：支持軸
５４：巻き取り軸
ｎ：農作物
ｖ：ベルト
ｗ１，ｗ２：車輪
【図１】
2008148585.tif 000003
【図２】
2008148585.tif 000004
【図３】
2008148585.tif 000005
【図３−１】
2008148585.tif 000006
【図４】
2008148585.tif 000007
【図５】
2008148585.tif 000008
【図６】
2008148585.tif 000009
【図７】
2008148585.tif 000010